【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
管理装置と記憶媒体が接続された端末装置とを有するシステムにおいて、前記記憶媒体のＩＤ情報に対応付けられた情報の記憶および/または検索のための制御方法であって、
前記情報を記憶する場合において、
前記端末装置は、前記情報の入力を受付け、前記記憶媒体から前記ＩＤ情報を読出し、そして、入力された前記情報および読み出した前記ＩＤ情報を前記管理装置に送信し、
前記管理装置は、前記端末装置から受信した前記情報を当該情報と共に受信した前記ＩＤ情報に対応付けて記憶し、
前記情報を検索する場合において、
前記端末装置は、前記記憶媒体から前記ＩＤ情報を読み出して、前記管理装置に送信し、
前記管理装置は、前記端末装置から受信した前記ＩＤ情報に基づいて、記憶済みの前記情報を検索して、前記端末装置に送信し、
前記端末装置は、前記管理装置から送信された前記情報を受信すること
を特徴とする情報の記憶および/または検索のための制御方法。
【請求項２】
請求項１に記載の情報の記憶および/または検索のための制御方法であって、
前記記憶媒体には、前記管理装置が所有する鍵を用いて前記ＩＤ情報を認証するための認証情報がさらに記憶されており、
前記情報を記憶する場合において、
前記端末装置は、さらに、前記記憶媒体から前記認証情報を読み出して、前記端末装置に送信し、
前記管理装置は、前記鍵を用いて、前記端末装置から受信した前記ＩＤ情報を前記端末装置から受信した前記認証情報に基づいて認証し、当該認証が成立した場合にのみ、前記端末装置から受信した前記情報を当該ＩＤ情報に対応付けて記憶し、
前記情報を検索する場合において、
前記端末装置は、さらに、前記記憶媒体から前記認証情報を読み出して、前記管理装置に送信し、
前記管理装置は、前記鍵を用いて、前記端末装置から受信した前記ＩＤ情報を前記端末装置から受信した前記認証情報に基づいて認証し、当該認証が成立した場合にのみ、前記端末装置から受信した前記ＩＤ情報に基づいて、記憶済みの前記情報を検索して、前記端末装置に送信すること
を特徴とする情報の記憶および/または検索のための制御方法。
【請求項３】
請求項１に記載の情報の記憶および/または検索のための制御方法であって、
前記記憶媒体には、前記ＩＤ情報と共に属性情報がさらに記憶されており、
前記管理装置は、前記記憶媒体のＩＤ情報および情報を前記記憶媒体に記録された属性情報に対応付けて記憶しており、
前記端末装置は、前記管理装置に記憶されている、少なくとも１つの属性情報に対応付けられたＩＤ情報および情報を記憶しており、
前記情報を検索する場合において、
前記端末装置は、前記記憶媒体からＩＤ情報および属性情報を読み出し、読み出した属性情報に対応付けられたＩＤ情報を自端末装置が記憶しているか否かを調べ、
自端末装置が記憶していない場合、前記読み出した属性情報に対応付けられたＩＤ情報および情報を、前記管理装置から取得するステップと、取得した前記ＩＤ情報および情報を用いて自端末装置が記憶しているＩＤ情報および情報の内容を更新するステップと、前記管理装置から取得したＩＤ情報に対応付けられている、前記管理装置から取得し記憶した情報を表示するステップと、を行い、
自端末装置が記憶している場合、自端末装置が記憶しているＩＤ情報の内から前記記憶媒体から読み出したＩＤ情報を検索するステップと、検索したＩＤ情報に対応付けられて記憶している情報を表示するステップと、を行なうこと
を特徴とする情報の記憶および/または検索のための制御方法。
【請求項４】
請求項１に記載の情報の記憶および/または検索のための制御方法であって、
前記情報は、前記記憶媒体のユーザＩＤ番号を含むこと
を特徴とする情報の記憶および/または検索のための制御方法。
【請求項５】
請求項１に記載の情報の記憶および/または検索のための制御方法であって、
前記端末装置は、前記管理装置から受信した前記情報を表示すること
を特徴とする情報の記憶および/または検索のための制御方法。
【請求項６】
記憶媒体のＩＤ情報に対応付けられた情報を記憶および/または検索する管理システムであって、
端末装置と、管理装置とを有し、
前記管理装置は、
前記情報を記憶する場合に、前記端末装置から受信した前記情報を前記ＩＤ情報に対応付けてデータベースに記憶する記憶手段と、
前記情報を検索する場合に、前記端末装置から受信した前記ＩＤ情報に基づいて前記データベースから前記情報を検索する検索手段と、
前記検索手段により検索された前記情報を前記端末装置に送信する第１の送信手段と、を有し、
前記端末装置は、
前記記憶媒体よりＩＤ情報を読み出す読取手段と、
前記読取手段で読み出したＩＤ情報を前記管理装置に送信する第２の送信手段と、
前記情報を検索する場合に、前記管理装置から送信された前記情報を受信する受信手段と、
前記情報を記憶する場合に、前記情報の入力を受付ける受付手段と、を有し、
前記端末装置の前記第２の送信手段は、
前記情報を記憶する場合に、前記読取手段で読み出したＩＤ情報を前記受付手段で受付けた前記情報と共に、前記管理装置へ送信すること
を特徴とする管理システム。
【請求項７】
請求項６に記載の管理システムであって、
前記記憶媒体は、
前記ＩＤ情報が記憶された電子回路チップと、
前記端末装置から受信した電波を利用して電力を発生させ、前記電子回路チップより前記ＩＤ情報を読み出して送信するアンテナ素子と、を有し、
前記端末装置の前記読取手段は、電波を前記記憶媒体に送信すること
を特徴とする管理システム。
【請求項８】
請求項６に記載の管理システムであって、
前記端末装置は、前記管理装置から受信した前記情報を表示する表示手段をさらに有すること
を特徴とする管理システム。
【請求項９】
請求項６に記載の管理システムであって、
前記記憶媒体には、前記管理装置が所有する鍵を用いて前記ＩＤ情報を認証するための認証情報がさらに記憶されており、
前記端末装置の前記読取手段は、さらに、前記記憶媒体から認証情報を読み出し、
前記端末装置の前記第２の送信手段は、さらに、前記読取手段で読み出した認証情報を前記管理装置に送信し、
前記管理装置は、さらに、前記鍵を用いて、前記端末装置から受信した前記ＩＤ情報を前記端末装置から受信した前記認証情報に基づいて認証する認証手段を有し、
前記管理装置の前記記憶手段は、前記認証手段による認証が成立した場合に、前記端末装置から受信した前記情報を前記端末装置から受信した前記ＩＤ情報に対応付けて記憶し、
前記管理装置の前記検索手段は、前記認証手段による認証が成立した場合に、前記端末装置から受信した前記ＩＤ情報に基づいて前記データベースから前記情報を検索すること
を特徴とする管理システム。
【請求項１０】
請求項６に記載の管理システムであって、
前記記憶媒体には、前記ＩＤ情報と共に属性情報がさらに記憶されており、前記属性情報は、前記記憶媒体および前記記憶媒体毎にユニークな前記ＩＤ情報を分類するために使用される情報であり、
前記端末装置の前記読取手段は、さらに、前記記憶媒体から属性情報を読み出し、
前記管理装置の前記記憶手段は、前記端末装置から受信した前記情報および前記ＩＤ情報を、前記端末装置から受信した前記属性情報に対応付けて前記データベースに記憶し、
前記管理装置の前記検索手段は、前記端末装置から受信した前記属性情報に基づいて前記情報および前記ＩＤ情報を検索し、
前記端末装置の前記第２の送信手段は、前記読取手段で読み出した前記属性情報および前記ＩＤ情報を送信すること
を特徴とする管理システム。
【請求項１１】
請求項６に記載の管理システムであって、
前記情報は、前記記憶媒体のユーザＩＤ番号を含むこと
を特徴とする管理システム。
【請求項１２】
記憶媒体に記憶された前記記憶媒体のＩＤ情報および属性情報に対応付けられた情報を記憶および/または検索する管理システムであって、
端末装置と、管理装置とを有し、
前記管理装置は、
前記情報を前記ＩＤ情報および前記属性情報に対応付けてデータベースに記憶する記憶手段と、
前記情報を検索する場合に、前記端末装置から受信した前記属性情報に基づいて前記データベースから前記ＩＤ情報および前記情報を検索する第１の検索手段と、
前記検索手段により検索された前記ＩＤ情報および前記情報を前記端末装置に送信する送信手段と、を有し、
前記端末装置は、
前記データベースに記憶される前記ＩＤ情報および前記情報が前記属性情報に対応付けられて記憶されるテンポラリデータベースと、
前記記憶媒体より前記ＩＤ情報および前記属性情報を読み出す読取手段と、
前記読取手段で読み出した前記属性情報に基づいて前記テンポラリデータベースから前記ＩＤ情報および前記情報を検索する第２の検索手段と、
前記読取手段で読み出した前記属性情報に対応付けられている前記ＩＤ情報および前記情報が前記テンポラリデータベースに記憶されていない場合に、前記読取手段で読み出した前記属性情報を前記ＩＤ情報および前記情報の検索のために前記管理装置に送信し、前記管理装置から受信した前記ＩＤ情報および前記情報で前記テンポラリデータベースを更新する手段と、を有すること
を特徴とする管理システム。